(57)【要約】【課題】ユーザがデジタル放送の番組に関連したコンテンツを幅広いコンテンツの中から容易に取得できるようにすること。【解決手段】放送受信装置１０３は、受信したデジタル放送の特定のシーンに関連するシーン関連情報１０４を作成し、コンテンツ提供装置１０６に送信する。コンテンツ提供装置１０６は、データベース１０７にデジタル放送の各シーンに関連したコンテンツを格納しており、放送受信装置１０３から受信したシーン関連情報１０４を基に対応するコンテンツ１０８を検索する。シーン関連情報１０４には、受信したデジタル放送の放送局名、番組名、特定のシーンの放送時間および字幕情報の少なくとも１つを含む。【選択図】図１
2007043474.tif 000002
【特許請求の範囲】
【請求項１】
通信ネットワークを介し放送受信装置の要求するコンテンツをコンテンツ提供装置から取得するコンテンツ取得システムにおいて、
上記放送受信装置は、
デジタル放送を受信する受信部と、
受信したデジタル放送の特定のシーンに関連するシーン関連情報を作成するシーン情報作成部と、
該シーン関連情報を上記コンテンツ提供装置に送信し該コンテンツ提供装置から対応するコンテンツを受信する通信部とを備え、
上記コンテンツ提供装置は、
デジタル放送の各シーンに関連したコンテンツを格納するデータベースと、
上記放送受信装置から受信したシーン関連情報を基に上記データベースに格納されたコンテンツを検索する検索部と、
上記放送受信装置から上記シーン関連情報を受信し、検索したコンテンツを上記放送受信装置に送信する通信部とを備えることを特徴とするコンテンツ取得システム。
【請求項２】
通信ネットワークを介しコンテンツ提供装置にコンテンツを要求して取得する放送受信装置において、
デジタル放送を受信する受信部と、
受信したデジタル放送の特定のシーンに関連するシーン関連情報を作成するシーン情報作成部と、
該シーン関連情報を上記コンテンツ提供装置に送信し該コンテンツ提供装置から対応するコンテンツを受信する通信部とを備え、
上記シーン関連情報には、受信したデジタル放送の放送局名、番組名、特定のシーンの放送時間および字幕情報の少なくとも１つを含むことを特徴とする放送受信装置。
【請求項３】
通信ネットワークを介し放送受信装置から要求されたコンテンツを提供するコンテンツ提供装置において、
デジタル放送の各シーンに関連したコンテンツを、該コンテンツを検索するための検索情報と共に格納するデータベースと、
上記放送受信装置から受信したシーン関連情報を基に上記データベースのコンテンツを検索する検索部と、
上記放送受信装置から上記シーン関連情報を受信し、検索したコンテンツを上記放送受信装置に送信する通信部とを備え、
上記検索部は上記コンテンツの検索情報を参照し、上記シーン関連情報と少なくとも一部の情報が一致しているコンテンツを提供することを特徴とするコンテンツ提供装置。
【請求項４】
請求項１に記載のコンテンツ取得システムにおいて、
前記放送受信装置から前記コンテンツ提供装置に対し送信された前記シーン関連情報を前記通信ネットワークを介して受信し、該シーン関連情報をデジタル放送の視聴情報として記憶する視聴情報収集装置を備えることを特徴とするコンテンツ取得システム。
【請求項５】
請求項１に記載のコンテンツ取得システムにおいて、
前記放送受信装置として複数の放送受信装置が前記通信ネットワークに接続され、
第１の放送受信装置が前記コンテンツ提供装置からコンテンツを取得した際、取得に用いた前記シーン関連情報を第２の放送受信装置に送信し、該第２の放送受信装置は受信した該シーン関連情報を上記コンテンツ提供装置に送信することで上記コンテンツと同一のコンテンツを取得することを特徴とするコンテンツ取得システム。
【請求項６】
受信したデジタル放送に関連するコンテンツを通信ネットワークを介しコンテンツ提供装置から取得するコンテンツ取得方法において、
上記デジタル放送の特定のシーンに関連するシーン関連情報を作成し、
該シーン関連情報を上記コンテンツ提供装置に送信し、
該コンテンツ提供装置は受信したシーン関連情報を基に格納しているコンテンツを検索し、
検索の結果対応するコンテンツを該コンテンツ提供装置から取得することを特徴とするコンテンツ取得方法。
【請求項７】
請求項６に記載のコンテンツ取得方法において、
前記シーン関連情報には、受信したデジタル放送の放送局名、番組名、特定のシーンの放送時間および字幕情報の少なくとも１つを含み、
前記コンテンツ提供装置にてコンテンツを検索の結果、上記シーン関連情報の少なくとも一部の情報に対応するコンテンツを取得することを特徴とするコンテンツ取得方法。
【発明の詳細な説明】
【技術分野】
【０００１】
本発明は、放送番組の中でユーザが関心を持ったシーンに関連するコンテンツをネットワークを介してサーバから取得するコンテンツ取得システム、放送受信装置、コンテンツ提供装置およびコンテンツ取得方法に関する。
【背景技術】
【０００２】
従来のコンテンツ取得システムでは、放送受信装置はデジタル放送のデータ放送に含まれるリンク情報から通信を介してサーバにアクセスし、アクセス先のサーバで提供しているサービスの範囲でコンテンツを取得するものであった。あるいは、デジタル放送の音声データの一部をほぼそのままの形式でコンテンツ蓄積装置に送信し、コンテンツ蓄積装置は受信したデータと一致するコンテンツを検索して提供するものであった。
【０００３】
例えば特許文献１には、視聴者装置がコンテンツ情報を取得するために必要な関連情報を入手してコンテンツ提供サーバに送信し、コンテンツ提供サーバからコンテンツ情報を取得するシステムが開示される。ここに視聴者装置は、映像と共に放送される関連情報を映像から分離することによって関連情報を入手するものである。
【０００４】
【特許文献１】特開２００２−２０９２０４号公報
【発明の開示】
【発明が解決しようとする課題】
【０００５】
しかし、従来のコンテンツ取得システムでは、デジタル放送の番組に関連したコンテンツを取得する際に、コンテンツ取得の検索情報は、通常、データ放送のリンク情報やデジタル放送の音声データの一部であるため、放送受信装置で取得可能なコンテンツの種類が限られる。また、コンテンツ取得のトリガとなる検索情報が、コンテンツ提供元のサービスに依存するため汎用性が乏しく、ユーザにとって使い勝手がよくない場合がある。例えば複数のユーザ（放送受信装置）間で特定番組の特定のシーンに関する情報を共有したい場合などに、従来の検索情報では所望のコンテンツを取得するのが困難であった。
【０００６】
特許文献１には、コンテンツ要求時に、視聴者装置から視聴者情報、端末情報、視聴者環境情報などをコンテンツ提供サーバに送信する技術が記載されているが、ユーザが所望するシーンに対するコンテンツの取得については考慮されていない。
【０００７】
本発明は、上記の課題に鑑みなされたものであり、その目的は、ユーザがデジタル放送の番組に関連したコンテンツを幅広いコンテンツの中から容易に取得できるようにすることである。
【課題を解決するための手段】
【０００８】
本発明によるコンテンツ取得システムは、通信ネットワークを介し放送受信装置の要求するコンテンツをコンテンツ提供装置から取得する。放送受信装置は、デジタル放送を受信する受信部と、受信したデジタル放送の特定のシーンに関連するシーン関連情報を作成するシーン情報作成部と、シーン関連情報をコンテンツ提供装置に送信する通信部とを備える。コンテンツ提供装置は、デジタル放送の各シーンに関連したコンテンツを格納するデータベースと、放送受信装置から受信したシーン関連情報を基にデータベースに格納されたコンテンツを検索する検索部と、検索したコンテンツを放送受信装置に送信する通信部とを備える。
【０００９】
ここにシーン関連情報には、受信したデジタル放送の放送局名、番組名、特定のシーンの放送時間および字幕情報の少なくとも１つを含む。またコンテンツ提供装置の検索部は、コンテンツの検索情報を参照し、シーン関連情報と少なくとも一部の情報が一致しているコンテンツを提供する。
【００１０】
本発明によるコンテンツ取得システムは、さらに、通信ネットワークを介してシーン関連情報を受信し、デジタル放送の視聴情報として記憶する視聴情報収集装置を備える。
【００１１】
また本発明によるコンテンツ取得システムは、第１の放送受信装置がコンテンツを取得した際に用いたシーン関連情報を第２の放送受信装置に送信し、第２の放送受信装置は受信したシーン関連情報を用いてコンテンツ提供装置から同一のコンテンツを取得する。
【００１２】
本発明によるコンテンツ取得方法は、デジタル放送の特定のシーンに関連するシーン関連情報を作成し、作成したシーン関連情報をコンテンツ提供装置に送信する。コンテンツ提供装置は、受信したシーン関連情報を基に格納しているコンテンツを検索し、検索の結果対応するコンテンツを提供する。
【発明の効果】
【００１３】
本発明によれば、ユーザはデジタル放送の番組に関連したコンテンツを幅広いコンテンツから容易に取得することができる。
【発明を実施するための最良の形態】
【００１４】
以下、本発明の実施の形態を図面に基づいて説明する。
【実施例１】
【００１５】
図１は、本発明によるコンテンツ取得システムの一実施例を示す全体構成図である。放送局１０１は映像・音声・文字データ等を含むデジタル放送波１０２を送出する。携帯端末１０３は、デジタル放送波１０２を受信して再生（視聴）する機能を有する放送受信装置である。さらに携帯端末１０３は、インターネット等の通信ネットワーク１０５を介してコンテンツ提供サーバ１０６と通信を行う機能を有する。コンテンツ提供サーバ１０６は、放送番組の各シーンに対応したショートコンテンツ１０８をショートコンテンツデータベース（以下、ショートコンテンツＤＢ）１０７に蓄積しており、ユーザ（携帯端末）からの要求に応じてショートコンテンツ１０８を提供する。コンテンツ提供サーバ１０６は、コンテンツのジャンルごとに複数のショートコンテンツＤＢ１０７を備えたり、あるいは複数のコンテンツ提供サーバ１０６を備える構成でもよい。
【００１６】
ここにショートコンテンツ１０８とは、デジタル放送と同等の映像および音声からなり、例えば放送番組に関連したコマーシャル、特定のドラマや音楽のプロモーションコンテンツや、映画の予告編などである。これらは、比較的短時間の動画コンテンツであり、インターネット等の通信ネットワーク１０５により容易に提供することができる。
【００１７】
本実施例では、携帯端末１０３はショートコンテンツ１０８を取得するため、受信した放送番組とその中の特定のシーンに関する検索情報（以下、シーン関連情報１０４と呼ぶ）を自動的に作成してサーバ１０６に送信する。サーバ１０６はこれを受信し、シーン関連情報１０４を基にデータベース１０７を検索して、要求元のユーザ（携帯端末１０３）に対応するショートコンテンツ１０８を提供する。
【００１８】
図２は、図１の実施例における携帯端末１０３の内部構成を示す図である。まず、デジタル放送の受信機能部を説明する。図示しないアンテナにより受信したデジタル放送波１０２はＲＦ信号２０１として入力し、チューニング／復調部２０２は、ユーザが選択した番組（コンテンツ）の多重ストリーム２０３を復元する。分離部２０４は、多重ストリーム２０３を映像データ２０５、音声データ２０６、字幕データ２０７、番組情報データ２０８に分離する。デコーダ部２０９は、上記各データをデコードし、映像データ２０５から映像信号を生成しディスプレイ２１０に表示させる。音声データ２０６から音声信号を生成しスピーカ２１１から出力する。ここで、ディスプレイ２１０やスピーカ２１１は携帯端末１０３の外部に接続する構成でもよい。
【００１９】
シーン情報作成部２１２は、デコーダ部２０９が出力するデータに基づいて、シーン関連情報１０４を抽出し作成する。ここでシーン関連情報１０４は、受信したデジタル放送の放送局名と番組名等の番組を特定する番組情報と、特定のシーンの再生時間および字幕情報などから構成される情報である。ユーザが放送番組を視聴しているとき、ある特定のシーン（場面）に関連するコンテンツを取得したい場合、後述の入力部２１６から「コンテンツ取得要求」を操作する。するとシーン情報作成部２１２は、受信中の放送局名と番組名等の番組情報を抽出し、これに特定のシーンの放送時間情報および字幕情報などを付加してシーン関連情報１０４を作成する。
【００２０】
通信部２１５は、通信ネットワーク１０５に接続してコンテンツ提供サーバ１０６との間でデータ（シーン関連情報１０４やショートコンテンツ１０８）の送受信を行う。入力部２１６は、ユーザが入力・選択操作等を行うためのテンキーや十字キーである。ＣＰＵ２１３は、シーン情報作成部２１２、通信部２１５、入力部２１６に対する制御処理を行う。メモリ２１４は、放送受信処理および通信処理を行う際に必要なデータを記憶し、また、シーン情報作成部２１２により作成されたシーン関連情報１０４を記憶する。
【００２１】
図３は、図１の実施例におけるコンテンツ提供サーバ１０６の内部構成を示す図である。通信部３０１は、通信ネットワーク１０５に接続して、携帯端末１０３との間でデータ（シーン関連情報１０４やショートコンテンツ１０８）の送受信を行う。検索部３０２は、受信したシーン関連情報１０４を基に、ショートコンテンツＤＢ１０７から対応するショートコンテンツ１０８を検索する。ショートコンテンツＤＢ１０７には、ショートコンテンツ１０８とそれを検索するための検索情報１０９（例えば、放送局名、番組名、番組放送時間）とを関連付けて格納している。ＣＰＵ３０３は、通信部３０１と検索部３０２の動作を制御する。検索の結果、シーン関連情報１０４の全部、または一部と一致したショートコンテンツ１０８が存在すれば、そのリストを携帯端末１０３に通知するとともに、そのコンテンツを送信する。
【００２２】
図４は、本実施例におけるシーン関連情報１０４と、ショートコンテンツデータベース１０７が格納するデータの一例を示す図である。
【００２３】
（ａ）はシーン関連情報１０４の例であり、項目として、受信したデータから抽出する「放送局」、「番組名」、シーンを視聴した「時間」、「字幕」などの情報を含む。さらに、そのシーンに関連した「キーワード」をユーザが任意に設定することも可能である。「キーワード」は、ユーザが特定の番組やコマーシャル向けに予めメモ情報等で端末内に登録していたものを用いたり、前記ショートコンテンツ１０８の取得を要求する際に入力部２１６から任意に入力することで設定する。
【００２４】
シーン関連情報１０４はシーン情報作成部２１２において生成されるが、その項目のすべてが番組の特定の１シーンから抽出できるとは限らない。よって、一部の項目の情報が未抽出であっても（欠落していても）、シーン関連情報１０４としてそのまま用いる。その結果、同一シーンでありながら、図示したように（１）〜（３）の複数通りの例があり得る。すなわち、受信したデジタル放送からシーン関連情報の全ての項目に配置するデータが取得できない場合にも、可能な範囲のデータでシーン関連情報１０４を構成することで、検索の自由度を高めることができる。
【００２５】
一方（ｂ）は、ショートコンテンツデータベース１０７の格納するデータの例であり、検索情報１０９として、「放送局」、「番組名」、シーンを視聴した「時間」、「字幕」、「キーワード」と、これらに対応するコンテンツ１０８を識別する「コンテンツＩＤ」とで構成する。そして「コンテンツＩＤ」に対応する映像・音声等のショートコンテンツ１０８をファィル形式にて保存している。データベース１０７の検索情報１０９の項目は、当然ながらシーン関連情報１０４の項目と共通にしている。
【００２６】
コンテンツ提供サーバ１０６は、携帯端末１０３より受信したシーン関連情報１０４に含まれる情報と、データベース１０７に登録されている検索情報１０９とを比較する。その際、全ての項目で一致する必要はなく、例えば「番組名」や「時間」などの確度の高い項目の一致を優先して、シーン関連情報１０４に対応するショートコンテンツ１０８を検索する。また「キーワード」などは、関連する内容であればそれも一致とみなす、いわゆるあいまい検索機能を取り入れるものとする。
【００２７】
このように本実施例では、ユーザの選択したシーンを特定するシーン関連情報を自動的に作成すること、また検索時にあいまい検索機能を取り入れることで、ユーザは幅広い多種多様なコンテンツから所望のコンテンツを容易に取得することができる。
【００２８】
図５は、本実施例における携帯端末１０３とコンテンツ提供サーバ１０６間の情報の流れを示す図である。ユーザがデジタル放送の特定のシーンを指定し、そのシーンに関連するショートコンテンツ１０８をコンテンツ提供サーバ１０６から取得する手順を説明する。
【００２９】
ユーザは携帯端末１０３によりデジタル放送の受信を開始する。そして、放送を視聴中にある番組のシーンに関心を持った場合、入力部２１６を操作して該シーンに関連するショートコンテンツ１０８の取得を要求する（Ｓ５０１）。この要求指示があるとシーン情報作成部２１５は、デコーダ部２０９が出力するデジタル放送のデータを基にシーン関連情報１０４を生成する（Ｓ５０２）。作成したシーン関連情報１０４は、ＣＰＵ２１３の指示により通信部２１５を介して、コンテンツ提供サーバ１０６に送信される（Ｓ５０３）。
【００３０】
コンテンツ提供サーバ１０６は、通信ネットワーク１０５を介して携帯端末１０３より送信されたシーン関連情報１０４を受信する（Ｓ５０４）。そして、ショートコンテンツＤＢ１０７より、受信したシーン関連情報１０４に一致するショートコンテンツ１０８を検索する（Ｓ５０５）。
【００３１】
検索の結果、受信したシーン関連情報１０４に一致するショートコンテンツ１０８がある場合には（Ｓ５０６でＹｅｓ）、コンテンツ提供サーバ１０６は携帯端末１０３に、存在するショートコンテンツ１０８のリストを送信する（Ｓ５０７）。この場合複数のコンテンツが存在すれば、リストには複数個のコンテンツ名が記述される。また、コンテンツの提供が有料であれば、その料金情報なども付加する。ユーザはリストの中から入手を希望するコンテンツを選択し、送信することを承認してコンテンツ提供サーバ１０６に返す（Ｓ５０８）。コンテンツ提供サーバ１０６は、要求されたコンテンツを送信し（Ｓ５０９）、携帯端末１０３はこれを受信して（Ｓ５１０）コンテンツの取得を終了する。
【００３２】
また前記検索の結果、受信したシーン関連情報１０４に対応するショートコンテンツ１０８がない場合には（Ｓ５０６でＮｏ）、コンテンツ提供サーバ１０６は携帯端末１０３に、要求されたショートコンテンツ１０８がない旨の情報を送信する（Ｓ５１１）。
【００３３】
ショートコンテンツ１０８を受信した携帯端末１０３は、ショートコンテンツをメモリ２１４に記憶し、ユーザの希望する時、コンテンツ再生手段によりいつでも再生することができる。さらにショートコンテンツは、コマーシャルやプロモーションコンテンツなどの比較的短時間のコンテンツである。よって、例えば携帯端末１０３の待ち受け画面や、携帯端末１０３が電話やメールの機能を有する場合にはユーザに着信を知らせる着信画面として、各ユーザに対しそれぞれオリジナルな利用法を提供する。
【００３４】
このように本実施例によれば、携帯端末１０３は受信したデジタル放送から抽出した情報を用いてシーン関連情報１０４を自動的に作成し、これを基にコンテンツ提供サーバ１０６からシーン関連情報１０４に対応するショートコンテンツ１０８を取得することができる。よって、ユーザは関心を持った放送番組のシーンに関連するショートコンテンツ１０８を容易に取得し、携帯端末１０３で再生して利用することができる。
【実施例２】
【００３５】
図６は、本発明によるコンテンツ取得システムの他の実施例を示す全体構成図である。本実施例のコンテンツ取得システムは、前記実施例１における通信ネットワーク１０５にさらに視聴情報収集サーバ６０１を接続し、デジタル放送を視聴したユーザが関心をもった番組の視聴情報を収集するものである。
【００３６】
視聴情報収集サーバ６０１は、通信ネットワーク１０５を介して、携帯端末１０３が送信したシーン関連情報１０４を受信する。そのためにコンテンツ提供サーバ１０６は、携帯端末１０３からシーン関連情報１０４を受信すると、そのシーン関連情報１０４を視聴情報収集サーバ６０１に送信する。
【００３７】
視聴情報収集サーバ６０１は、受信したシーン関連情報１０４を対応する番組（シーン）の視聴情報として、視聴情報データベース（以下、視聴情報ＤＢ）６０２に記憶する。そして、ユーザがコンテンツ提供サーバ１０６にショートコンテンツ１０８の取得を要求する度に、視聴情報ＤＢ６０２には視聴情報としてシーン関連情報１０４が蓄積されていく。その際視聴情報には、シーン関連情報１０４を送信した携帯端末１０３を識別するためのＩＤ情報と共に記憶するのがよい。
【００３８】
本実施例によれば、視聴情報収集サーバ６０１の視聴情報ＤＢ６０２を閲覧することにより、どの番組のどのようなシーンに視聴者の関心が集まっているか、すなわちデジタル放送の特定のシーンの視聴率を含めて容易に把握することができる。また、ショートコンテンツがコマーシャル等の広告情報である場合には、視聴情報ＤＢ６０２の視聴情報を集計することで、特定の広告についてその宣伝効果を定量的に把握することができる。
【実施例３】
【００３９】
図７は、本発明によるコンテンツ取得システムのさらに他の実施例を示す全体構成図である。本実施例は、あるユーザが他のユーザに対し、自分が取得したショートコンテンツ１０８をシーン関連情報１０４を用いて紹介するシステムである。
【００４０】
ユーザ１００は携帯端末１０３を所有し、他のユーザ７００ａ，７００ｂ，７００ｃも同等の機能の携帯端末７０３ａ，７０３ｂ，７０３ｃを所有する。各携帯端末は、通信ネットワーク１０５を介して相互にデータを送受信することが可能である。ユーザ１００（携帯端末１０３）は前述した方法でショートコンテンツ１０８を取得し、さらにそのショートコンテンツ１０８を他のユーザ７００ａ，７００ｂ，７００ｃにも紹介したい場合がある。そのような場合、取得したショートコンテンツ１０８を通信ネットワーク１０５を介して他のユーザ（携帯端末）に直接送信することはできるが、動画コンテンツなど容量が大きい場合、通信費がかさむことになる。
【００４１】
そこで本実施例では、ユーザ１００は、ショートコンテンツ１０８そのものではなく、それを取得するために用いたシーン関連情報１０４を他のユーザに送信する。そのために、通信費の比較的安価な、例えば電子メールなどの携帯端末の既存の機能を利用できる。シーン関連情報１０４を受信した他のユーザ７００ａ，７００ｂ，７００ｃ（携帯端末７０３ａ，７０３ｂ，７０３ｃ）は、受信したシーン関連情報１０４をコンテンツ提供サーバ１０６へ送信することで、ショートコンテンツ１０８を取得することができる。
【００４２】
これにより、ユーザ１００が関心をもって取得したショートコンテンツを、他のユーザに紹介するとともに、他のユーザは同じショートコンテンツ１０８を容易に取得することが可能となる。その際、ユーザ間の通信費を節約し、また過去に放送された番組で検索情報が分からず取得しにくいコンテンツを確実に取得することができる。
【００４３】
本実施例においては、さらに前記実施例２で述べた視聴情報収集サーバ６０１を追加することもできる。そして、ユーザ間でシーン関連情報１０４を送受信したことを視聴情報収集サーバ６０１に通知すれば、たとえ他のユーザが実際にコンテンツの取得を要求しなかった場合でも、視聴情報収集サーバ６０１はシーン関連情報を共有しているユーザの数や範囲を把握できる。あるいは、ユーザ間でシーン関連情報１０４を送受信する際、そのシーン関連情報１０４にはユーザ間で送受信されたことを示す情報を付加する。視聴情報収集サーバ６０１の視聴情報ＤＢ６０２には、単にシーン関連情報１０４だけでなく、それがユーザ間で送受信されたシーン関連情報であることが記憶される。よって、視聴情報ＤＢ６０２を閲覧することで、特定番組（シーン）に関する視聴者の関心度を、情報の履歴と伝達経路まで含めてより詳細に把握することができる。
【００４４】
このように本発明のコンテンツ取得システムでは、ユーザはシーン関連情報を用いて所望のコンテンツを容易に取得することができる。またコンテンツ提供側では特定のシーンに対するユーザの関心度を容易に把握することができる。
【図面の簡単な説明】
【００４５】
【図１】本発明によるコンテンツ取得システムの一実施例を示す全体構成図。
【図２】図１における携帯端末１０３の内部構成を示す図。
【図３】図１におけるコンテンツ提供サーバ１０６の内部構成を示す図。
【図４】本実施例におけるシーン関連情報１０４と、ショートコンテンツデータベース１０７の格納するデータの一例を示す図。
【図５】本実施例における携帯端末１０３とコンテンツ提供サーバ１０６間の情報の流れを示す図。
【図６】本発明によるコンテンツ取得システムの他の実施例を示す全体構成図。
【図７】本発明によるコンテンツ取得システムの他の実施例を示す全体構成図。
【符号の説明】
【００４６】
１０１…放送局、１０２…デジタル放送波、１０３…携帯端末（放送受信装置）、１０４…シーン関連情報、１０５…通信ネットワーク、１０６…コンテンツ提供サーバ、１０７…ショートコンテンツＤＢ、１０８…ショートコンテンツ、１０９…検索情報、２１２…シーン情報作成部、３０２…検索部、６０１…視聴情報収集サーバ、６０２…視聴情報ＤＢ。
【図１】
2007043474.tif 000003
【図２】
2007043474.tif 000004
【図３】
2007043474.tif 000005
【図４】
2007043474.tif 000006
【図５】
2007043474.tif 000007
【図６】
2007043474.tif 000008
【図７】
2007043474.tif 000009